(57)【要約】      （修正有）【課題】安全確実に牛の蹄に対する削作業を行うための削刀を提供する。【解決手段】刃部３を有する板状の削刀本体１と、この削刀本体１に連続して突設される柄４とを有する牛蹄削刀において、削刀本体１上端を削刀本体１前端から後方に向かうにつれて下降傾斜となる斜方部２を設けた。【選択図】図２
0003209989.tif 000002
【実用新案登録請求の範囲】
【請求項１】
刃部を有する板状の削刀本体と、この削刀本体に連続して突設される柄とを有する牛蹄削刀において、削刀本体上端を削刀本体前端から後方に向かうにつれて下降傾斜となる斜方部を設けたことを特徴とする牛蹄削刀。
【請求項２】
柄を正面視において円弧状に形成してなる請求項１記載の牛蹄削刀。
【考案の詳細な説明】
【技術分野】
【０００１】  この考案は、安全に牛蹄を切除できる新規な牛蹄削刀に関する。
【背景技術】
【０００２】  従来より、種々の牛蹄削刀が利用されているが、本案にて示すように、削刀上端に傾斜を設けたものは見当たらない。
【考案の概要】
【考案が解決しようとする課題】
【０００３】  牛は一般に運動量が少なく、蹄が伸びすぎるので定期的に蹄を切ってその形を整える必要があり、このときに用いられるのが牛蹄削刀である。
この削刀の代表的なものの一つは図６にて示すように、正面視所定幅の鋼製削刀の前部を幅広として、その幅広下部適所に刃部を形成したものがある。この刃部は左側面視において図３にて示すように、左右対称形に下降傾斜側面を有して先鋭な刃部となっている。
蹄を削る作業の場合は、まず牛の足を固定し、削刀とハンマーや木槌を手に持って、削刀の刃を削る箇所にあてがい、削刀の上端を木槌等にて打って行う。
しかし、作業時においてこの木槌等が削刀から離れて牛の足を打つときもあるが、そうなると牛が驚いて不意に足を動かして危険が発生し、ときには作業者に牛足が当たってケガをするときもあるが、こういった場合における安全な手段としては、牛体や足を自動固定する高価な装置があるのみで、手軽かつ安全に牛蹄を削刀にて削るための専用削刀が見当たらないのが現状である。
本案は以上に鑑み、牛蹄を削るときに用いる安全性の高い削刀を提供することを目的として考案されたものである。
【課題を解決するための手段】
【０００４】  課題を解決する手段として本案は以下の構成とした。
すなわち、刃部を有する板状の削刀本体と、この削刀本体に連続して突設される柄とを有する牛蹄削刀において、削刀本体上端を削刀本体前端から後方に向かうにつれて下降傾斜となる斜方部を設ける。本案は以上の構成よりなる牛蹄削刀である。
【考案の効果】
【０００５】  本案によれば、牛蹄削刀使用の際に、削刀上端が傾斜しているので、牛足への不用意な打撃を防止して安全に蹄を削ることのできる有用なる物品を得ることができる。
また、後述例のごとく柄を湾曲形成するとともに柄の表面に微細な凹凸を設けることにて柄に対する手へのなじみと保持力が強化されて、この点においても安全なる作業を行うことができる。
【図面の簡単な説明】
【０００６】
【図１】  本考案の平面図
【図２】  本考案の正面図
【図３】  本考案の左側面図
【図４】  本考案の他例を示す正面図
【図５】  本考案の他例を示す正面図
【図６】  従来例の正面図
【考案を実施するための最良の形態】
【０００７】  以下、本考案の実施形態について説明する。
図において、１は削刀本体で、所定厚の鋼板にて形成され、上端を先端から後方に向かうにつれて下降傾斜するよう形成した斜方部２を有する略長方形板体部分である。
３は削刀本体下部に位置する刃部である。刃部下方は左側面視において左右対称に傾斜して先鋭部に達する形状である。
４は柄で、削刀本体に連続して右方突出にて設けられる部分で、正面視において上に凸の湾曲形状であってその表面には微細凹凸（梨地）が設けられる。５は柄の右端近傍に穿設される孔である。以上が本案の一実施形態である。【０００８】  本案の使用に際しては、まず蹄を削ろうとする牛の足を地上に固定立設される枠その他に結びつけ、柄を片手に握り、他方の手に木槌等を持ち、刃部を牛蹄適所にあてがって木槌等にて削刀本体の先部近傍上端を打撃する。この打撃にて刃部は蹄にくい込み、蹄の不要箇所を削り取ることができる。
この作業時において、削刀本体上端は本体前端に向かうにつれて上昇する傾斜面を有しているので、木槌の打撃箇所が削刀本体より前方に移動しようとすると、この傾斜面に当たるために、牛足への不用意な打撃を防ぐことができて、安全に削刀を用いることができる。また、柄は湾曲形状であり、さらに柄表面には微細凹凸が設けられているので、手からの削刀離脱を防止することができる。【０００９】  図４および図５は、本案の他例を示すものである。
初例が柄を上に凸の湾曲形状としたのに対し、図４の例では下降傾斜の直線状とし、図５の例では刃部と平行とした点が異なり、削刀本体に斜方部を向けた点においては両例とも同様である。また、柄に対する微細凹凸は表現していないが、初例同様に柄に設けてもよい。【００１０】  以上、本案について記したが、本案は削刀本体の上部に図示のごとく傾斜を設けたところにその特徴を有している。従来例は図６のように、一体となった直線状の削刀本体と柄を有して、下部に刃部を設けた形状であって、本案のような傾斜部を有していない。
そのため、蹄に削刀を当てて削刀に打撃を与えるときに、不用意に牛足を打つ恐れがある。そうすると、牛は苦痛を感じ驚いて足を動かし、満足な蹄を削る作業ができないのである。【００１１】  牛足安定と作業者の安全のために、蹄を削る作業の前に、地上に固定立設された枠等に牛足をロープや紐にて固定することが行われ、とくに後ろ足に対する作業時には必須の準備である。これは牛足飛節のやや上方を固定して行われるが、この固定が不十分であると前述のように牛は驚いて後ろ足にて人体が打撃されて大けがのもとともなるのである。
つまり、作業時は刃部先端の直上部分を打撃するのであるが、この刃部は牛の蹄に近接して位置するために、少しでも木槌等が牛寄りの位置に至れば、牛足打撃の恐れが生ずるが、あくまでも作業者の熟練と技量に左右されることとなるのである。【００１２】  しかるに本案は、削刀本体上部は削刀先端に向かうにつれて上昇する傾斜を有しているために、打撃時において木槌が削刀より前方に移動しようとすると、この傾斜のために木槌がこの傾斜と当接してその前方への平行移動が防止されて、安全なる牛蹄を削る作業ができるのである。また、従来例よりも全長をやや短くすることにて、刃先を牛蹄に当てがいやすい形状となる。【００１３】  初例においては、柄を上に凸の湾曲形状としている。そのために、例えば蹄を削る作業時において、削刀の急速なる平行移動が必要となったときに、手から削刀が離脱することがなく、牛と人体の安全にも役立つのである。これは図４の例でも同様である。
また、柄の表面に微細凹凸を設けることにて、手に対する削刀の滑り移動が阻止される。
削刀本体の傾斜角度θは、図２にて示すように実験の結果刃部に対してマイナス９度からマイナス１２度の範囲が適当であることが判明している。【００１４】  本案製作について、従来品のように単鋼同一素材によるものではなく、芯鋼を皮鋼が包み込んだ二重構造方式にてなされることが好ましく、これにより削刀強度が増すとともに切れ味も向上する。初例では、全長３３０ミリメートル、削刀本体最大高さ８０ミリメートル、全厚６ミリメートルを用いている。なお、図２の仮想線にて示すように、削刀本体に傾斜を設けてもよい。また、孔を柄に設けることにて、フック等にかけて保管することができる。既例において、図３にて示す両刃方式としたので、左利きと右利きの双方の作業者に対応できるものとなっている。なお、牛足を固定するときは、丸ロープよりも平ベルトが牛足に対する圧迫が少なく、好ましいと思われる。
以上のごとく、本案によって安全かつ能率的に牛の蹄を削ることのできる削刀を得ることができる。
【符号の説明】
【００１５】  １  削刀本体
２  斜方部
３  刃部
４  柄
５  孔
１０  削刀本体
１１  斜方部
１２  刃部
１３  柄
１４  孔
２０  削刀本体
２１  斜方部
２２  刃部
２３  柄
２４  孔
３０  削刀本体
３１  刃部
【図１】
0003209989.tif 000003
【図２】
0003209989.tif 000004
【図３】
0003209989.tif 000005
【図４】
0003209989.tif 000006
【図５】
0003209989.tif 000007
【図６】
0003209989.tif 000008